(57)【要約】      （修正有）【課題】使用者が着用している靴のファッション性を生かすことができるとともに、歩行に支障をきたさず、雨水から良好に靴を保護できる靴カバーを提供する。【解決手段】靴カバーは、弾性素材から形成されており、ソール１１０、アッパー１２０及びヒール１３０を有する靴１００の外形にフィット可能であり、靴を覆う。靴カバーは、底覆い部１０と、上覆い部２０とを具備する。底覆い部１０は、挿通孔を有し、ソール１１０を覆う。挿通孔には、ヒール１３０が挿通可能である。上覆い部２０は、開口部２１を有し、アッパー１２０を覆う。開口部は、足の甲と足首との境界と、足のかかとと足首との境界とに対応する。【選択図】図１
0003223687.tif 000002
【実用新案登録請求の範囲】
【請求項１】
弾性素材から形成されており、ソール（１１０）、アッパー（１２０）及びヒール（１３０）を有する靴（１００）の外形にフィット可能であり、前記靴（１００）を覆う靴カバーであって、
前記ヒール（１３０）が挿通可能である挿通孔（１１）を有し、前記ソール（１１０）を覆う底覆い部（１０）と、
足の甲と足首との境界と、足のかかとと足首との境界とに対応する開口部（２１）を有し、前記アッパー（１２０）を覆う上覆い部（２０）とを具備する、靴カバー。
【請求項２】
前記底覆い部（１０）は、前記ソール（１１０）のうち、地面に接する接地部（１１１）に対応する前側部（１２）に、滑り止め（１３）が形成されている、請求項１に記載の靴カバー。
【請求項３】
同一の輪郭形状を有し重合可能である一対の弾性シート（３０）を周縁部において一体的に連結して構成される、請求項１又は請求項２に記載の靴カバー。
【請求項４】
前記一対の弾性シート（３０）は、前記周縁部に、前記挿通孔（１１）及び前記開口部（２１）と対応する非連結部を各々有する、請求項３に記載の靴カバー。
【考案の詳細な説明】
【技術分野】
【０００１】
本考案は、靴カバーに関し、特に、着用中の靴を雨水から保護するための靴カバーに関するものである。
【背景技術】
【０００２】
着用中の靴を雨水から保護する靴カバーとして、特許文献１には、靴全体をすっぽりと覆う長靴形の靴カバーが記載されている。特許文献１に記載の靴カバーによれば、靴と、使用者の足首とが、靴カバーによって覆われ、雨水による靴の汚れ、靴の傷み、靴内への雨水の侵入が防止される。
【先行技術文献】
【特許文献】
【０００３】
【特許文献１】特許第６１５９９１１号公報
【考案の概要】
【考案が解決しようとする課題】
【０００４】
しかしながら、特許文献１に記載の靴カバーにおいては、着用中の靴が、長靴形の靴カバーによって覆われるために、靴の外形が靴カバーの外形に反映されず、使用者が着用している靴のファッション性が生かされ難くなる。また、かかとの高い女性用の靴に、特許文献１に記載の靴カバーを使用すると、歩行に支障をきたすことも考えられる。
【０００５】
本考案は上記課題に鑑みてなされたものであり、その目的は、使用者が着用している靴のファッション性を生かすことができるとともに、歩行に支障をきたさず、雨水から良好に靴を保護できる靴カバーを提供することにある。
【課題を解決するための手段】
【０００６】
本願に開示する靴カバーは、弾性素材から形成されており、ソール（１１０）、アッパー（１２０）及びヒール（１３０）を有する靴（１００）の外形にフィット可能であり、前記靴（１００）を覆う。そして、本願に開示する靴カバーは、底覆い部（１０）と、上覆い部（２０）とを具備する。前記底覆い部（１０）は、挿通孔（１１）を有し、前記ソール（１１０）を覆う。前記挿通孔（１１）は、前記ヒール（１３０）が挿通可能である。前記上覆い部（２０）は、開口部（２１）を有し、前記アッパー（１２０）を覆う。前記開口部（２１）は、足の甲と足首との境界と、足のかかとと足首との境界とに対応する。
【０００７】
本願に開示する靴カバーにおいて、前記底覆い部（１０）は、前側部（１２）に、滑り止め（１３）が形成されている。前記前側部（１２）は、前記ソール（１１０）のうち地面に接する接地部（１１１）に対応する部分である。
【０００８】
本願に開示する靴カバーは、一対の弾性シート（３０）を周縁部において一体的に連結して構成される。前記一対の弾性シート（３０）は、同一の輪郭形状を有し重合可能である。
【０００９】
本願に開示する靴カバーにおいて、前記一対の弾性シート（３０）は、前記周縁部に、前記挿通孔（１１）及び前記開口部（２１）と対応する非連結部を各々有する。
【考案の効果】
【００１０】
本考案の靴カバーによれば、使用者が着用している靴のファッション性を生かすことができるとともに、歩行に支障をきたさず、雨水から良好に靴を保護できる。
【図面の簡単な説明】
【００１１】
【図１】本考案の実施形態に係る靴カバーを示す斜視図である。
【図２】図１の靴カバーの底部を示す斜視図である。
【図３】図１の靴カバーが装着可能な靴の一例を示す斜視図である。
【図４】図１の靴カバーを構成する弾性シートを示す平面図である。
【考案を実施するための形態】
【００１２】
以下、本考案の実施形態に係る靴カバーを図面に基づいて詳しく説明する。なお、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。
【００１３】
〈実施形態〉
図１〜図３を参照して、本考案の実施形態に係る靴カバーを説明する。図１は、本考案の実施形態に係る靴カバーを示す斜視図である。図２は、図１の靴カバーの底部を示す斜視図である。図３は、図１の靴カバーが装着可能な靴の一例を示す斜視図である。
【００１４】
図１、図２に示すように、実施形態に係る靴カバーは、底覆い部１０と、上覆い部２０とを具備し、図３に示すような靴１００を覆う。靴１００は、パンプス、ハイヒール等の女性用の靴であり、ソール１１０、アッパー１２０及びヒール１３０を有する。また、靴カバーは、実施形態においては、シリコンとゴムとを含む弾性素材から形成されており、靴１００の外形にフィット可能である。
【００１５】
底覆い部１０は、図２に示すように、挿通孔１１を有し、図３に示す靴１００のソール１１０を覆う。挿通孔１１は、靴１００のヒール１３０が挿通可能である。また、底覆い部１０は、前側部１２に、滑り止め１３が形成されている。前側部１２は、底覆い部１０のうち、靴１００の接地部１１１に対応する部分である。接地部１１１は、ソール１１０のうち、地面に接する前側の部分である。実施形態においては、滑り止め１３は、複数の波形状の突起から形成されている。
【００１６】
上覆い部２０は、図１に示すように、開口部２１を有し、靴１００のアッパー１２０を覆う。上覆い部２０の開口部２１は、使用者における足の甲と足首との境界と、足のかかとと足首との境界とに対応する。すなわち、実施形態の靴カバーは、使用者の足首までを覆うものではなく、使用者の爪先、足の甲、かかと、及び、両くるぶしの下の辺りまでを覆うものである。
【００１７】
以上、図１〜図３を参照して説明したように、実施形態の靴カバーは、弾性素材から形成され、靴１００の外形にフィット可能であることによって、使用者が着用している靴１００の外形が靴カバーの外形から認識できる。従って、使用者が着用している靴１００のファッション性を靴カバーの外観に反映させることができ、使用者が着用している靴のファッション性を生かすことができる。
【００１８】
また、実施形態の靴カバーによれば、上覆い部２０の開口部２１が、使用者の足と足首との境界に位置する。従って、図３に示すように、靴１００のデザインが、使用者の足首が露出されるようなデザインであるとき、使用者の足首を覆うことなく、靴カバーによって靴１００を覆うことができ、使用者が着用している靴のファッション性を生かすことができる。
【００１９】
また、図２を参照して説明したように、実施形態の靴カバーによれば、底覆い部１０が、ヒール１３０を挿通可能な挿通孔１１を有している。従って、ヒールの高い女性用の靴１００に実施形態の靴カバーを装着するとき、ヒール１３０が障害とならず、ソール１１０とアッパー１２０とに靴カバーをフィットさせることができ、歩行に支障をきたすことなく、比較的に雨水によって傷みやすいソール１１０とアッパー１２０とを雨水から有効に保護でき、靴１００を雨水から良好に保護できる。
【００２０】
また、図２を参照して説明したように、実施形態の靴カバーによれば、底覆い部１０が、ソール１１０の接地部１１１に対応する前側部１２に、滑り止め１３を有する。従って、雨天時の転倒事故等を効果的に防止できる。更に、底覆い部１０の全体ではなく、前側部１２だけに滑り止め１３を形成することによって、材料費の増大を抑制し、効果的に転倒事故等を防止できる。
【００２１】
次に、図４を参照して、本発明の他の実施形態を説明する。図４は、図１の靴カバーを構成する弾性シートを示す平面図である。
【００２２】
実施形態の靴カバーは、同一の輪郭形状を有し重合可能である一対の弾性シート３０を周縁部において一体的に連結して構成される。図４に示すように、弾性シート３０は、平面状であり、自然状態において立体的な靴形状を有していない。また、弾性シート３０は、周縁部に、挿通孔１１及び開口部２１と対応する非連結部を有する。靴カバーを靴に装着する際には、一対の弾性シート３０が、立体的な靴形状に弾性変形される。
【００２３】
図４に示すように、１枚の弾性シート３０は、靴カバーの底覆い部１０に対応する部分と、靴カバーの上覆い部２０に対応する部分の両方を含んでいる。底覆い部１０に対応する部分のうち前側部１２に対応する部分には、滑り止め１３が形成されている。なお、図中の二点鎖線は、底覆い部１０に対応する部分と、上覆い部２０に対応する部分との間の境界線を示す。
【００２４】
以上、図４を参照して説明したように、実施形態の靴カバーは、立体的な靴形状に弾性素材を成型したものではなく、自然状態において平面状である一対の弾性シート３０から構成される。従って、実施形態の靴カバーによれば、弾性素材をシート状に成型する簡単な成型加工によって、靴カバーを製造でき、靴カバーの製造を容易にすることができる。
【００２５】
また、実施形態の靴カバーによれば、一対の弾性シート３０の周縁部に非連結部を各々設けるだけで、挿通孔１１及び開口部２１を形成でき、靴カバーの製造を更に容易にできる。また、図２に示すように、前側部１２の全体ではなく、中央部を除いた両側部にだけ滑り止め１３を形成することによって、図４に示すように、弾性シート３０の周縁部まで滑り止め１３を形成する必要がなく、靴カバーの製造を更に容易にできる。
【００２６】
以上、図面（図１〜図４）を参照しながら本考案の実施形態を説明した。但し、本考案は、上記の実施形態に限られるものではなく、その要旨を逸脱しない範囲で種々の態様において実施することが可能である。
【符号の説明】
【００２７】
１０…底覆い部
１１…挿通孔
１２…前側部
１３…滑り止め
２０…上覆い部
２１…開口部
３０…弾性シート
１００…靴
１１０…ソール
１１１…接地部
１２０…アッパー
１３０…ヒール
【図１】
0003223687.tif 000003
【図２】
0003223687.tif 000004
【図３】
0003223687.tif 000005
【図４】
0003223687.tif 000006